(57)【特許請求の範囲】
【請求項１】
短縮ダイヤル番号、ワンタッチダイヤル番号、同報送信のためのグループダイヤル番号などの論理アドレスと、ファクシミリ送信、電子メール送信などのデータ送信手段と、ダイヤル番号や電子メールアドレスなどの送信先となる物理アドレスとを対応させて登録した記憶手段を備え、
上記論理アドレスが指定されたときには、上記記憶手段を参照し、指定された上記論理アドレスに対応した上記データ送信手段によって、対応する物理アドレスにデータ送信を行う構成としており、
上記記憶手段には、更に論理アドレスに対応して、他の論理アドレスを複数登録しており、この論理アドレスが指定されたときには、上記他の複数の論理アドレスに対応して登録された各々のデータ送信手段によって、各々対応する物理アドレスに同報送信を行うことを特徴とする通信端末装置。
【請求項２】
上記記憶手段の設定内容を、記録部や表示部からリスト出力することができること特徴とする請求項１に記載の通信端末装置。
【発明の詳細な説明】
【０００１】
【発明の属する技術分野】
本発明は、データ送信手段を複数有しているファクシミリ装置等の通信端末装置の改良に関する。
【０００２】
【従来の技術】
インターネット等のコンピュータ通信網は益々利用される傾向にあり、近頃では、一般家庭においても利用する人が増えている。
このようなコンピュータ通信網の利用は、利用者がパーソナルコンピュータなどから、最寄りの契約プロバイダ（コンピュータ通信網への接続業者）までの通信費用のみの負担するだけでよいため、海外のコンピュータとの通信も安価でできるようになっている。
【０００３】
そこで現在では、このような状況を鑑みて、コンピュータ通信網への接続を可能としたファクシミリ装置などの通信端末装置が開発されており、これによれば、読取走査した原稿画像を、ファクシミリ送信、あるいは、電子メール送信のいずれかによって、相手の通信端末装置に送信できるようになっている。
即ち、画像データの送信時に、ファクシミリ送信を選択したときには、電話網などを使用して直接、画像データを送信する。一方、電子メール送信を選択したときには、画像データを電子メール形式に変換し、この変換後のデータをネットワーク上のメールボックスに格納する。これを受信側の多くが、ダイヤルアップ接続によって、適当な時機に電話回線経由でコンピュータ通信網を接続し、電子メールが送信されていることを確認して、メールボックスから画像データを読み出している。
【０００４】
【発明が解決しようとする課題】
上記のような通信端末装置では、送信先の通信端末装置を、短縮ダイヤル番号やワンタッチダイヤル番号などの論理アドレスに対応させ、ダイヤル番号などの物理アドレスで登録しており、論理アドレスを選択すれば、対応した物理アドレスを自動的に設定して、データ送信が開始できるようになっている。
【０００５】
ところが、このような登録形式では、データ送信手段が登録されていないため、ファクシミリ送信にするか電子メール送信にするかは、予めキー操作などで設定しておく必要があった。
本発明は、上記事情に鑑みて提案されたものであり、送信先の論理アドレスを選択すれば、自動的にデータ送信手段を判別し、データ送信ができるようにした通信端末装置を提供することを目的としている。
【０００６】
【課題を解決するための手段】
上記目的を達成するために提案される請求項１に記載の通信端末装置は、短縮ダイヤル番号、ワンタッチダイヤル番号、同報送信のためのグループダイヤル番号などの論理アドレスと、ファクシミリ送信、電子メール送信などのデータ送信手段と、ダイヤル番号や電子メールアドレスなど、送信先となる物理アドレスとを対応させて登録した記憶手段を備え、上記論理アドレスが指定されたときには、上記記憶手段を参照し、指定された上記論理アドレスに対応した上記データ送信手段によって、対応する物理アドレスにデータ送信を行うことを特徴とする。
【０００７】
ここに、論理アドレスには、送信先に割り当てた短縮ダイヤル番号、ワンタッチダイヤル番号、同報送信のためのグループダイヤル番号などが相当し、データ送信手段には、伝送モードがＧ３あるいはＧ４であるファクシミリ送信、電子メール送信、その他のデータ通信が相当する。
通常、各論理アドレスには、ダイヤル番号や電子メールアドレスなどの物理アドレスが対応して登録されているので、論理アドレスを選択すれば、これに対応したデータ送信手段によって、物理アドレスに対してデータ送信を行う。ちなみに、電子メールアドレスとは、データの宛先を識別するために、送信データにヘッダ情報として付加されるものである。
【０００８】
このように、本発明に係る通信端末装置は、複数のデータ送信手段を備えており、コンピュータ通信網を接続可能とした電子メール機能付きファクシミリ装置や、データ通信機能を備えたパーソナルコンピュータ等がこれに相当する。なお、コンピュータ通信網には、インターネットや、パソコン通信サービスであるＮＩＦＴＹ−Ｓｅｒｖｅ、ＰＣ−ＶＡＮなどがあり、サービスの１つとして、電子メールサービスを実施している。
【０００９】
また請求項１に記載の通信端末装置では、上記記憶手段には、更に論理アドレスに対応して、他の論理アドレスを複数登録しており、この論理アドレスが指定されたときには、上記他の複数の論理アドレスに対応して登録された各々のデータ送信手段によって、各々対応する物理アドレスに同報送信を行うことを特徴とする。
【００１０】
即ち、同報送信を行う場合は、予め、論理アドレスである１つのグループダイヤル番号に対して複数のダイヤル番号などを登録しておく以外に、１つのグループダイヤル番号に対し、他の論理アドレス（短縮ダイヤル番号、ワンタッチダイヤル番号、グループダイヤル番号など）を登録しておけば、この他の論理アドレスに対応して登録されたデータ送信手段と物理アドレスにしたがって、動作することができる。
【００１１】
請求項２に記載の通信端末装置は、上記記憶手段の設定内容を、記録部や表示部からリスト出力することができること特徴とする。
【００１２】
【発明の実施の形態】
以下に、図面を参照して本発明の実施の形態を説明する。
図１は、本発明の通信端末装置の内部構成の一例を示すブロック図である。
ここでは、本発明の通信端末装置の１つとして、電子メール機能付ファクシミリ装置の構成を示す。即ち、このファクシミリ装置には、従来のＧ３，Ｇ４のファクシミリ通信機能に加えて、コンピュータ通信網を介した通信機能を備えている。コンピュータ通信網はインターネットを使用して、インターネット上で電子メール（ｅ−ｍａｉｌ）サービスを利用するものとする。
【００１３】
ＣＰＵ１は、バス１２を通じて、このファクシミリ装置の各部を制御するだけでなく、後述する符号化／復号化、画像変換、バイナリ・テキスト変換、メール編集、通信手順制御などの各処理を実行する。
読取部２は、ＣＣＤ等で原稿を読み取り、白黒２値のイメージデータを出力する。記録部３は、電子写真方式などのプリンタを備え、他のＧ３，Ｇ４ファクシミリ装置から、あるいはインターネットを介して、受信したイメージデータを記録（印字出力）する。表示部４は、液晶表示装置などを備え、このファクシミリ装置の動作状態や、イメージデータを表示する。操作部５はテンキー、短縮ダイヤルキー、ワンタッチダイヤルキー、グループダイヤルキー、各種ファンクションキーなどを備えて、このファクシミリ装置に対し、各種入力設定を行う。
【００１４】
ＲＯＭ６は、このファクシミリ装置の動作に必要なソフトウェアを記憶する。ＲＡＭ７は、ソフトウェアの実行時に発生する一時的なデータを記憶するほか、後述する各種テーブルＴ１〜Ｔ３を記憶している。イメージメモリ８は、ＤＲＡＭ等で構成され、イメージデータを記憶する。
ＤＳＵ（データ回線終端装置：Ｄｉｇｉｔａｌ  Ｓｅｒｖｉｃｅ  Ｕｎｉｔ）９は、ベースバンド伝送方式を使用しているデジタル回線Ｌ１に接続できるように、送受信データと電圧の変換を行う。モデム１０は、従来のＦＡＸモデム機能の他にデータモデム機能を備えている。ＮＣＵ（網制御装置：Ｎｅｔｗｏｒｋ  Ｃｏｎｔｒｏｌ  Ｕｎｉｔ）１１は、アナログ回線Ｌ２の閉結、開放を行う。
【００１５】
図２は、図１に示したファクシミリ装置内のデータの流れを模式的に示したものである。この図では、図１と対応する箇所には同じ符号を付している。後述する電子メール変換部２０、符号化復号化部２１、オートダイヤラー２５は、図１には存在しないが、ＲＯＭ６に記憶されたソフトウェアに基づいて、ＣＰＵ１によって処理されるものとする。
【００１６】
なお、電子メール変換部２０は、画像変換部２２、バイナリ・テキスト変換部２３、メール編集部２４で構成されており、従来のファクシミリ装置に、この電子メール変換部２０を備えることによって、ファクシミリ通信に加え、インターネットへのアクセス、及び電子メールサービスの利用を可能にしている。
符号化復号化部２１は、イメージデータをＭＨ，ＭＲ，ＭＭＲ等の符号化方式によって符号化または復号化する。以下、これらの符号化方式によって符号化されたイメージデータを「符号化イメージデータ」と呼ぶ。イメージデータメモリ８には、この符号化イメージデータを記憶する。
【００１７】
画像変換部２２は、電子メールの送信時に、符号化イメージデータを、コンピュータで使用される一般的な画像フォーマットである、ＴＩＦＦ（Ｔａｇｇｅｄ  Ｉｍａｇｅ  Ｆｉｌｅ  ｆｏｒｍａｔ）に変換する一方、受信時には、ＴＩＦＦから符号化イメージデータに変換する。
ＴＩＦＦは、ａｄｏｂｅ社によって公開されており、白黒２値だけではなく、白黒多値、フルカラーなどを扱う様々なＣｌａｓｓ  が定義されている。その中の１つには、ファクシミリ画像を扱うＣｌａｓｓ  Ｆ  が定義されており、符号化イメージデータに対して、先頭にＣｌａｓｓ  Ｆ  のＴＩＦＦヘッダ情報の付加などを行えば、ＴＩＦＦに変換できる。以下、Ｃｌａｓｓ  Ｆ  のＴＩＦＦヘッダ情報が付加された符号化イメージデータを「ＴＩＦＦイメージデータ」と呼ぶ。
【００１８】
バイナリ・テキスト変換部２３は、電子メールの送信時は、バイナリデータをテキストデータに変換する一方、受信時には、テキストデータをバイナリデータに変換する。
インターネットには、バイナリデータの電子メールを扱うことが出来ないコンピュータを接続している場合があるので、相手先に対し確実に電子メールが届くようにするには、ＴＩＦＦイメージデータなどのバイナリデータは、送信時にテキストデータに変換する必要がある。
【００１９】
インターネットで扱うテキストデータは、ＩＥＴＦ（Ｉｎｔｅｒｎｅｔ  Ｅｎｇｉｎｅｅｒｉｎｇ  Ｔａｓｋ  Ｆｏｒｅ）が発行するドキュメント、ＲＦＣ（Ｒｅｑｕｅｓｔ  Ｆｏｒ  Ｃｏｍｍｅｎｔｓ）８２２において、７ビットのコードとして規定されているが、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ  ）のｂａｓｅ６４などを利用すれば、バイナリデータをテキストデータに変換できる。なお、ｂａｓｅ６４とは、８ビット×３バイトのバイナリデータを６ビット×４バイトと見なし、各々のバイトに対し、キャラクタコードを割り当てることにより、バイナリデータをテキストデータに変換する符号化方式である。
【００２０】
メール編集部２４は、電子メールの送信時は、テキストデータに変換されたＴＩＦＦイメージデータにメールヘッダ情報を付加して電子メール形式に編集する一方、受信時には、電子メール形式のデータからメールヘッダ情報を取り除き、テキストデータのＴＩＦＦイメージデータとする。
ここに、メールヘッダ情報とは、インターネットの電子メールの所定のヘッダ情報のことであり、送信するＴＩＦＦイメージデータの先頭に、”Ｆｒｏｍ：”  ，”Ｔｏ：”，”Ｓｕｂｊｅｃｔ：”，”ｃｃ：”，”Ｄａｔｅ：”  などの項目を付加することが規定されている。
【００２１】
オートダイヤラー２５は、プロバイダテーブルＴ２、相手先テーブルＴ３から読み出したダイヤル番号を自動発呼すべく、ＤＳＵ９、モデム１０またはＮＣＵ１１へダイヤル番号データを送る。
次に、各テーブルＴ１〜Ｔ３の構成について図３とともに説明する。
図３（ａ）の利用者テーブルＴ１には、このファクシミリ装置を使用するユーザ毎に、インターネットにログインするためのユーザＩＤとパスワード、電子メールアドレス、プロバイダ種別を登録しており、プロバイダ種別は、（ｂ）のプロバイダテーブルＴ２のプロバイダ種別に対応している。
【００２２】
図３（ｂ）のプロバイダテーブルＴ２には、プロバイダ種別に対応させて、プロバイダ名称、回線種別（アナログまたはデジタル）、インターネットに接続するときに使用するプロバイダのダイヤル番号（電話番号）を登録している。これによって、プロバイダ毎に異なるログイン手順を識別して実行することができ、１人のユーザが複数のプロバイダを利用する場合や、プロバイダが複数の回線を有している場合でも、このテーブルＴ２の設定によって対応できる。
【００２３】
図３（ｃ）の相手先テーブルＴ３には、論理アドレスである短縮ダイヤル番号、ワンタッチダイヤル番号、グループダイヤル番号毎に、データ送信手段、物理アドレスであるダイヤル番号あるいは電子メールアドレス、相手先名称を登録している。
本発明は、このように、記憶手段である相手先テーブルＴ３に、送信先の論理アドレスとデータ送信手段とを対応させて登録したところに特徴がある。
【００２４】
ここでは、データ送信手段には、伝送モードがＧ３であるファクシミリ送信（Ｇ３ＦＡＸ）、Ｇ４であるファクシミリ送信（Ｇ４ＦＡＸ）、電子メール送信（Ｅ−ＭＡＩＬ）のいずれかが設定されている。
このような設定にすることによって、操作部５を操作し、送信先の論理アドレスを選択したときには、このテーブルＴ３を参照し、選択した論理アドレスに対応したデータ送信手段によって、各送信先にデータ送信を行うことができる。
【００２５】
論理アドレスには、これに対応して、ダイヤル番号や電子メールアドレスなどの物理アドレスが、短縮ダイヤルやワンタッチダイヤルの場合は１つずつ、グループダイヤル（同報送信）の場合には複数登録されているので、論理アドレスを選択すれば、これに対応したデータ送信手段によって、自動的に各物理アドレスに対してデータ送信ができる。
【００２６】
また、相手先テーブルＴ３には、送信先の論理アドレスに対応して、他の論理アドレスを複数登録することもできる。図では、グループダイヤル番号「Ｇ０３」に対して、他のグループダイヤル番号「Ｇ０１」と「Ｇ０２」を登録している。
このような登録内容において、グループダイヤル「Ｇ０３」を操作すれば、同じ内容のデータを、「Ｇ０１」に対応して登録された「第１営業所」と「第２営業所」にファクシミリ送信（Ｇ３）するとともに、「Ｇ０２」に対応して登録された「技術１課」と「技術２課」に電子メール送信し、計４箇所に対して同報送信することができる。
【００２７】
なお、上述した各テーブルＴ１〜Ｔ３は、パスワードなどの秘密事項を除く設定内容を、記録部３や表示部４からリスト出力することもでき、そうすれば、ユーザや管理者などによる各テーブルＴ１〜Ｔ３の設定、変更、確認作業が簡易になる。
次に、上記ファクシミリ装置を備えたコンピュータ通信網の構成を図４に示す。ここでは、図中のＦがこの電子メール機能付ファクシミリ装置に該当するものとして、以下にその動作を説明するが、本発明の通信端末装置は、複数のデータ送信手段を備えた装置であればよく、例えば、専用線で接続されたパーソナルコンピュータＰＣを本発明の通信端末装置とすれば、リアルタイムにデータ送信することができる。
【００２８】
ファクシミリ装置Ｆから、相手先の電子メール機能付ファクシミリ装置ＦａやパーソナルコンピュータＰＣａに電子メールを送信する場合には、電話局Ｐを介して契約プロバイダを呼び出し、コンピュータ通信網Ｎを接続し、読取走査した画像データを送信する（ルート▲１▼〜▲２▼）。相手先のファクシミリ装置Ｆａ、コンピュータＰＣａでは、任意の時機に電話局Ｐａを介してコンピュータ通信網Ｎを接続し、自アドレス宛の電子メールを受信する（ルート▲５▼〜▲３▼，▲６▼〜▲３▼）。
【００２９】
このような形態でコンピュータ通信網Ｎを利用するようにすれば、送信側、受信側の双方では、契約プロバイダまでの通信費を支払うだけでよく、通常のファクシミリ通信（ルート▲１▼〜▲４▼〜▲５▼，▲１▼〜▲４▼〜▲６▼，▲１▼〜▲４▼〜▲７▼）によって、直接画像データを送受した場合のように、多くの通信費がかかることがない。図中のＦｂは、電子メール機能を備えていない通常のファクシミリ装置である。
【００３０】
なお、コンピュータ通信網Ｎには、専用線接続によってコンピュータＰＣを接続し、また、ＬＡＮ接続などによって他のネットワークＮａを接続しているので、ファクシミリ装置Ｆから、専用線接続のコンピュータＰＣ、ＬＡＮ接続のネットワークＮａに電子メールを送信することもできる（ルート▲１▼〜▲２▼〜▲８▼，▲１▼〜▲２▼〜▲９▼）。
【００３１】
次に、本発明の通信端末装置（電子メール機能付ファクシミリ装置）の基本動作について、図５のフローチャートとともに説明する。
まず、利用者は送信する原稿を原稿台（不図示）にセットし（Ｓ１）、操作部５の短縮ダイヤルキーなどの操作によって、送信先を選択する（Ｓ２）。すると、原稿台にセットされた原稿を１枚ずつ読み取り（Ｓ３）、一旦、全ページを符号化復号化部２１でＭＭＲ方式などの符号化イメージデータに変換し（Ｓ４）、イメージメモリ８に蓄積する（Ｓ５）。
【００３２】
続いて、相手先テーブルＴ３を参照し（Ｓ６）、データ送信手段が電子メール送信であれば、Ｓ８〜Ｓ１９の処理を行い、ファクシミリ送信であれば、Ｓ２０〜Ｓ２８の処理を行う（Ｓ７）。
インターネットの電子メール送信では、符号化イメージデータをそのまま送信できないので、画像変換部２２によってＴＩＦＦイメージデータに変換し（Ｓ８）、これをバイナリ・テキスト変換部２３でテキストデータに変換し（Ｓ９）、メール編集部２４によって電子メールヘッダを付加して電子メール形式とする（Ｓ１０）。
【００３３】
ここに、電子メールヘッダには、少なくとも”Ｆｒｏｍ：”  ，”Ｔｏ：”，”Ｓｕｂｊｅｃｔ：”の項目を含んでおり、”Ｆｒｏｍ：”  には利用者テーブルＴ１に登録された自己の電子メールアドレス、”Ｔｏ：”には相手先テーブルＴ３に登録された送信先の電子メールアドレス、”Ｓｕｂｊｅｃｔ：”にはＴＩＦＦ形式のイメージデータを含む電子メールであることを示す”ＴＩＦＦ（Ｇ３）”を設定する。
【００３４】
続いて、インターネットへダイヤルアップ接続をすべく、プロバイダテーブルＴ２から回線種別を読み出し（Ｓ１１）、アナログ回線であればモデム１０を設定し（Ｓ１２）、デジタル回線であればＤＳＵ９を設定する（Ｓ１３）。その後はプロバイダのダイヤル番号を発呼し（Ｓ１４）、着信があれば（Ｓ１５）、電子メールの送信を行う（Ｓ１７）。ここで、Ｓ２の送信先の選択において操作したキーがグループダイヤルキーであり同報送信を行うときには、相手先テーブルＴ３から次の送信先の電子メールアドレスを電子メールヘッダに設定して（Ｓ１６）、電子メール送信を継続させる。
【００３５】
なお、電子メールの送信には、プロトコルに、例えば、ＰＡＰ（Ｐａｓｓｗｏｒｄ  Ａｕｔｈｅｎｔｉｃａｔｉｏｎ  Ｐｒｏｔｏｃｏｌ）を使用してログインし、ＳＭＴＰ（Ｓｉｍｐｌｅ  Ｍａｉｌ  Ｔｒａｎｓｆｅｒ  Ｐｒｏｔｏｃｏｌ  ）によりデータを送信する。そして、すべてのデータ送信が終了すれば（Ｓ１８）、ログオフして回線を開放する（Ｓ１９）。
一方のファクシミリ送信では、相手先テーブルＴ３に登録されたデータ送信手段の内容に従い（Ｓ２０）、Ｇ３ファクシミリであればモデム１０を設定し（Ｓ２１）、Ｇ４ファクシミリであればＤＳＵ９を設定してから（Ｓ２２）、ダイヤル番号を設定し発呼を行う（Ｓ２３，Ｓ２４）。これに対し着信があると（Ｓ２５）、原稿画像データのファクシミリ送信を行い（Ｓ２６）、送信が終了すれば回線を開放する（Ｓ２７）。
【００３６】
また、Ｓ２の送信先の選択において操作したキーがグループダイヤルキーであり同報送信を行うときには、相手先テーブルＴ３を参照し、次の送信先のダイヤル番号に発呼して（Ｓ２３，Ｓ２４）、順次ファクシミリ送信を行う。
なお、ここでは、同報送信が、ファクシミリ送信と電子メール送信が混在している場合は省略した。また、Ｓ２において送信先を選択する前に、自己のユーザＩＤなどを利用者テーブルＴ１から選択する必要がある。
【００３７】
本発明は、上記以外の実施の形態をとることもでき、コンピュータ通信網Ｎにおいて送信するデータを、イメージデータ以外に、音声、動画などのデータとしてもよく（例えば、インターネットのＷＷＷ）、電子メールの送信に、インターネット以外のコンピュータ通信網（例えば、ＮＩＦＴＹ−Ｓｅｒｖｅ）を使用してもよい。
【００３８】
【発明の効果】
以上の説明からも理解できるように、本発明の請求項１に記載の通信端末装置によれば、送信先の論理アドレスとデータ送信手段とを対応させて登録しているので、短縮ダイヤルキー、ワンタッチダイヤルキー、グループダイヤルキーなどで送信先の論理アドレスを指定すれば、自動的に、各論理アドレス毎に対応したデータ送信手段を判別し、これにしたがって、１又は複数の送信先に対し、データ送信を行うことができる。
【００３９】
また、送信先の論理アドレスに対応して、他の論理アドレスを複数登録することができるので、例えば、１つのグループダイヤル番号に対し、複数の短縮ダイヤルなどを登録して、同報送信を行うことが出来る。したがって、電子メール送信においてダイヤルアップ接続を行う場合は、同報送信時に回線の接続時間を省略し送信時間を大幅に短縮することが可能になる。
【図面の簡単な説明】
【図１】本発明に係る通信端末装置の内部構成の一例を示したブロック図である。
【図２】本発明に係る通信端末装置内のデータの流れを示した模式図である。
【図３】本発明に係る通信端末装置に記憶されるテーブルの構成の一例を示した図である。
【図４】コンピュータ通信網の構成の一例を示した図である。
【図５】本発明に係る通信端末装置の基本動作を示すフローチャートである。
【符号の説明】
２０・・・電子メール変換部
２２・・・画像変換部
２３・・・バイナリ・テキスト変換部
２４・・・メール編集部
Ｔ１・・・利用者テーブル
Ｔ２・・・プロバイダテーブル
Ｔ３・・・相手先テーブル
Ｎ・・・コンピュータ通信網
Ｆ・・・電子メール機能付ファクシミリ装置
【図１】
0003593819.tif 000002
【図２】
0003593819.tif 000003
【図３】
0003593819.tif 000004
【図４】
0003593819.tif 000005
【図５】
0003593819.tif 000006